(57)【要約】【課題】本発明は、既知のパッケージに対して改善をもたらすことを追求する。【解決手段】パッケージは、１以上の物品をそれぞれ含む２以上のカートンを含む。２以上のカートンは、２以上のカートンの第１のものでユニット的に形成されたパネルのおかげで結合される。そのパネルは第１カートンの壁の一部として使われ、且つ、第１カートンを２以上のカートンの少なくとも１つの他のものに接続するために使われ、２以上のカートンが単一パッケージを形成する。【選択図】図１
2010195489.tif 000002
【特許請求の範囲】
【請求項１】
１以上の物品をそれぞれ含む２以上のカートン（Ｃ１、Ｃ２、Ｃ３）を備えるパッケージであって、２以上のカートンは、２以上のカートンの第１のもの（Ｃ１）でユニット的に形成された第１パネル（３４ｂ）のおかげで結合され、第１パネルは第１カートン（Ｃ１）の壁の一部として使われ、且つ、第１カートンを２以上のカートンの少なくとも１つの他のもの（Ｃ２）に接続するために使われ、２以上のカートンが単一パッケージ（５０）を形成するパッケージ。
【請求項２】
第１パネル（３４ｂ）は第１カートン（Ｃ１）の端壁（３４ｂ、３６ｂ、３２ｂ、３０ｂ）の一部として使われ、且つ第１カートン及び２以上のカートンの第２のものの間で第１接続を提供するために使われ、第２カートン（Ｃ２）にヒンジされる第２パネル（３４ｂ）は、第２カートン（Ｃ２）の端壁（３４ｂ、３６ｂ、３２ｂ、３０ｂ）の一部として使われ、且つ、第２カートンと２以上のカートンの別のもの（Ｃ１、Ｃ３）の間で第２接続を提供するために使われることを特徴とする請求項１に記載のパッケージ。
【請求項３】
第２接続は、第２カートンと第１カートンとの間での接続を含み、第１及び第２接続は、パッケージの反対側に配置されていることを特徴とする請求項２に記載のパッケージ。
【請求項４】
２以上のカートンは、別個のブランクの構成部材からそれぞれ形成されることを特徴とする請求項１から３のいずれか一項に記載のパッケージ。
【請求項５】
第１カートン（Ｃ１）及び／又は少なくとも１つの他のカートンが筒状構造を有し、筒状構造の向かい合った端部が複合端壁によってそれぞれ閉鎖され、複合端壁のそれぞれは、一連の端フラップ（３６ｂ、３４ｂ、３２ｂ、３０ｂ；３６ａ、３４ａ、３２ａ、３０ａ）から形成され、第１パネル（３４ｂ）が複合端壁の１つの一部を形成することを特徴とする請求項１から４のいずれか一項に記載のパッケージ。
【請求項６】
２以上のカートンを分離するための分離手段（５２）をさらに備えること、及び／又は、２以上のカートンが各カートンの内容物にアクセスするための手段（６２、６０）を備えることを特徴とする請求項１から５のいずれか一項に記載のパッケージ。
【請求項７】
第１パネルは、それが、少なくとも１つの他のカートンの完全な壁を重ね合わせて、補強するような寸法にされていることを特徴とする請求項１から６のいずれか一項に記載のパッケージ。
【請求項８】
第１パネルが第１カートンにヒンジ的に接続され、且つ裂け目片を備えており、及び前記分離手段が裂け目片を備えることを特徴とする請求項１から７のいずれか一項に記載のパッケージ。
【請求項９】
第１パネルが、そこにヒンジ的に接続される接着フラップを備えることを特徴とする請求項１から８のいずれか一項に記載のパッケージ。
【請求項１０】
第１パネルが第２カートンの端壁の一部として使われ、第２パネルが第１カートンの端壁の一部として使われることを特徴とする請求項２又は請求項３に記載のパッケージ。
【請求項１１】
第１パネルがそこにヒンジ的に接続される第１接着フラップを備え、第１接着フラップが第２カートンの前又は後壁の一部として使われ、前又は後壁が第２カートンの端壁に近接して配置されていることを特徴とする請求項１０に記載のパッケージ。
【請求項１２】
第２パネルは、そこにヒンジ的に接続される第２接着フラップを備え、第２接着フラップは第１カートンの前又は後壁の一部として使われ、前又は後壁は第１カートンの端壁に近接して配置されることを特徴とする請求項１１に記載のパッケージ。
【請求項１３】
カートンを形成するためのブランクであって、ブランクは、カートン壁及び少なくとも１つの壁パネルにヒンジされる接続パネルを形成するための複数の壁パネルを備え、接続パネルはブランクから形成されたカートンの壁の一部を形成するために折り曲げ可能であり、接続パネルはブランクから形成されるカートンと他のカートンとの間の接続を提供するために操作可能であるブランク。
【請求項１４】
請求項１３に記載のブランクであって、２つの前記壁パネルが一緒に固定されているブランクを含む一部形成ブランク。
【請求項１５】
請求項１３のブランク又は請求項１４の一部形成ブランクから形成されるカートン。
【発明の詳細な説明】
【技術分野】
【０００１】
本発明は、パッケージ、カートン及び個別のカートンを形成するための１以上のブランクに関する。より詳しくは、排他的ではないが、発明は、少なくとも２つの結合したカートンを備えるパッケージに関する。
【背景技術】
【０００２】
パッケージの分野では、パッケージは頑丈であって、その目的に適していることが必要であり、さらに同時に、経済的及び環境の理由で、パッケージを形成する点においては最小量の材料を使用することが重要である。貯蔵及び小売環境では、大抵、多くのパッケージは、お互いの頂上に積まれており、より低いカートンに与えられる負荷は著しいので、パッケージ及びカートンの圧縮強度が重要である。パッケージに含まれる物品は、いくらか支持を提供することが可能であるが、全ての物品ができるわけではない。柔らかく、可撓性があり、若しくは脆い物品は、例えば、圧縮下で負荷がかかったカートンを支持することが全くないか、あるいは支持するのに十分な補助をもたらさない。
【０００３】
追加的に、パッケージの分野では、製造プラントから、配達チェーンを通じて、貯蔵及び／又は小売の点に移動する物品又は物品のグループを防護する耐久性パッケージは、その後、一旦消費者により最終的に家に持ち帰られると、容易に開けることができることが重要である。
【発明の概要】
【発明が解決しようとする課題】
【０００４】
本願発明は、既知のパッケージに対して改善をもたらすことを追求する。
【課題を解決するための手段】
【０００５】
第１の側面によれば、本発明は、それぞれが１以上の物品を含む２以上のカートンを備えるパッケージを提供し、２以上のカートンは、１つのカートンにヒンジされたパネルのおかげで結合されており、そのパネルは、そのカートンの壁の一部として役立てられ、そして１つのカートンを少なくとも１つの他の２以上のカートンに接続するために役立てられて、接続されたカートンが本質的に単一であるパッケージを形成する。
【０００６】
好ましくは、パッケージは２以上のカートンを備え、そこでは、カートンの第１にヒンジされたパネルが、その第１カートンの端壁の一部として使われ、第１カートンと第２カートンの間で第１接続を提供するために使われ、そしてそこでは、第２カートンにヒンジされたパネルが、その第２カートンの端壁の一部として使われ、第２カートンと２以上のカートンの別のものとの間で第２接続を提供するために使われる。
【０００７】
より好ましくは、パッケージは２つのカートンを備え、そこでは、第２カートンにヒンジされたパネルがその第２カートンの端壁の一部として使われ、第２カートンと第１カートンとの間の第２接続を提供するために使われ、そしてそこでは、第１及び第２接続がパッケージの向かい合った側で配置される。
【０００８】
好ましくは、２以上のカートンは、別個のブランクの構成要素からそれぞれ形成される。
【０００９】
自由選択的に、１つのカートンが筒状構造を有し、その筒状構造の端部が一連の端フラップから形成される複合端壁により閉鎖され、そしてそこでは１つのカートンにヒンジされているパネルがその複合端壁の一部を形成する。
【００１０】
好ましくは、２以上のカートンのそれぞれは、１つのカートンを２以上のカートンの少なくとも１つの他のカートンに接続するために使われる１つのカートンにヒンジされるパネルに関係なく、完全に周囲を囲まれた単一カートンである。
【００１１】
自由選択的に、パッケージは、パッケージのカートンを分離するための手段を備え、及び／又は、パッケージの各カートンがそのカートンの内容物にアクセスするための手段を備える。
【００１２】
好ましくは、１つのカートンにヒンジされたパネルは、それは２以上のカートンの他の１つの完全な壁を重ね合わせて、補強するような寸法にされている。より好ましくは２以上のカートンの他の１つは筒状構造を有しており、その筒状構造の端部は一連の端フラップから形成される複合端壁により閉鎖され、そしてそこでは、パネルにより補強される完全な壁は複合端壁の１つである。
【００１３】
自由選択的に、少なくとも２つのカートンは、それらのカートンの当接壁が、それらの当接壁の平面に実質的に平行な方向にパッケージに加えられる圧縮負荷への支持を提供するように、配置される。
【００１４】
自由選択的に、第１パネルはそこにヒンジ的に接続される接着フラップを備える。
【００１５】
好ましくは、第１パネルは第２カートンの端壁の一部として使われ、そしてそこでは第２パネルは第１カートンの端壁の一部として使われる。
【００１６】
自由選択的に、第１パネルはそこにヒンジ的に接続された第１接着フラップを備え、そして第１接着フラップは第２カートンの前または後壁の一部として使われ、前又は後壁は第２カートンの端壁に近接して配置される。
【００１７】
自由選択的に、第２パネルはそこにヒンジ的に接続された第２接着フラップを備え、そして第２接着フラップは第１カートンの前または後壁の一部として使われ、前又は後壁は第１カートンの端壁に近接して配置される。
【００１８】
第２側面によれば、本発明は、カートンを形成するためのブランクを提供し、ブランクはカートン壁を形成し且つそこにヒンジされたパネルを備えるための複数のパネルを備え、そのパネルはブランクから形成されたカートンの壁の一部を形成するために折り曲げ可能であり、そしてそのパネルはブランクから形成されたそのカートンと他のカートンとの間の接続を提供するために操作可能である。
【００１９】
本発明の別の側面は、直前の段落によるブランクを備える一部形成されたブランクを提供し、そこでは２つの複数のパネルは一緒に固定されている。
【００２０】
本発明の別の側面は、ブランクから形成されるカートン又はそこにヒンジされるパネルを有する先行の段落で言及されている一部形成されたブランクを提供し、そのパネルはカートンの壁の一部を形成し、そしてそのパネルはそのカートンを他のカートンに接続するために操作可能である。
【００２１】
好ましくは、カートンは筒状構造を有しており、その筒状構造の端部は一連の端フラップから形成された複合端壁により閉鎖され、そしてそこでは１つのカートンにヒンジされたパネルはその複合端壁の一部を形成する。
【００２２】
本発明の実施形態がこれから添付の図面を参照しつつ記載される。
【図面の簡単な説明】
【００２３】
【図１】本発明の第１実施例によるカートンを形成するためのブランクを示す平面図である。
【図２】図１で示されるブランクの種類からそれぞれ形成されるカートンのペアを備えるパッケージを示す図である。
【図３】図２のパッケージを示す図であって、パッケージを開けるため及びカートンを分離するための裂け目片が部分的に展開されている。
【図４】裂け目片を完全に操作した後、分離された図２及び図３のパッケージのカートンを示す図である。
【図５】開放状態での分離されたカートンを示す図である。
【図６】多くの接続されたカートンを備える単一のパッケージを形成するための複数のカートンの落ち着いた配置を示す概略図である。
【図７】多くの接続されたカートンを備える単一のパッケージを形成するための複数のカートンの落ち着いた配置を示す概略図である。
【図８】多くの接続されたカートンを備える単一のパッケージを形成するための複数のカートンの落ち着いた配置を示す概略図である。
【図９】多くの接続されたカートンを備える単一のパッケージを形成するための複数のカートンの落ち着いた配置を示す概略図である。
【図１０】多くの接続されたカートンを備える単一のパッケージを形成するための複数のカートンの落ち着いた配置を示す概略図である。
【発明を実施するための形態】
【００２４】
本願発明は、１以上の物品をそれぞれ含む１以上のカートンを備えるパッケージに関する。図示された例は、板紙カートンＣ１、Ｃ２のペアを示すが、他の適した折り曲げ可能なシート材料が使用されることができることを理解することができる。カートンにより保持された物品は、図面により示されてはいない。パッケージされる物品の寸法、構成、数及び形状は、カートンの寸法、構成及びある構造的な側面に影響を与えることがあり、描かれたカートン及びそれらを作るためのブランクは、非限定例のみであることが理解されなければならない。本発明は、様々な物品を含むために有用な様々なカートン構造に応用することができる。形成されたパッケージは少なくとも２つのカートンを備え、それらのカートンは同じ材料から形成される必要はない。しかしながら、好ましい例では、両方のカートンは板紙材料から形成され、両方のカートンは同様の寸法にされている。
図１では、図２〜図５で見られるようなカートンＣ１を形成するためのブランク１０が示されている。ブランク１０はバックパネル１２、ボトムパネル１４、フロントパネル１６及びトップパネル１８を含む一連のパネルを備えている。これらの主パネル１２、１４、１６、１８は折り曲げ線２２、２４及び２６それぞれに沿って連続して共にヒンジされている。
【００２５】
カートンの構築については、カートンがその構築を完成させるのに回転されるか反転されるかする必要がないように、カートンを直線機械の一連の連続的な折り曲げ操作により形成することができることが想定されている。折り曲げ工程は、下で記載されているものに限定されず、特定の製造要件により変えることができる。
【００２６】
接着パネル１９は、折り曲げ線２０に沿ってバックパネル１２にヒンジされている。これにより、バックパネル１２及びトップパネル１８が共に固定されることができ、それにより開放端を備えたカートンを形成する。この種類のカートン構造は、標準出荷カートン「ＲＳＣ」として知られている。本発明の別の応用では、カートンの構造的な壁を形成するパネルの特定の順序及び配置は、ここに示されている例から異なっていてもよい。実際に、接着パネル１９は完全に任意的であり、他の応用ではカートンは、機械的ロック及び／又は機械的ファスナーを含むがそれらに限られない他の手段により直立形態で保持されてもよい。
【００２７】
カートンの端部を閉じるために、一連の端フラップがヒンジ的に、主要パネルのそれぞれの端部の縁に接続されている。端フラップ３０ａ、３２ａ、３４ａ、３６ａは、それらの右手側（図１で見られるように）に沿って主パネル１２、１４、１６、１８へ、折り曲げ線４０ａ、４２ａ、４４ａ、４６ａに沿ってヒンジされている。同様に、端フラップ３０ｂ、３２ｂ、３４ｂ、３６ｂは、それらの左手側（図１で見られるように）に沿って主パネル１２、１４、１６、１８へ、折り曲げ線４０ｂ、４２ｂ、４４ｂ、４６ｂに沿ってヒンジされている。
【００２８】
複合的な端壁を作るために多くの折り曲げ可能な端フラップを使用してカートンの端部を閉じることは、従来技術で知られている。ブランク１０はカートン製造プラントで印刷され、切断され、そして折り目をつけられ、接着フラップ１９も配置されて、バックパネル１２をトップパネル１８に取り付けるために操作される。これは単純に、接着剤のビーズを接着フラップ１９に貼って、そしてブランク１０を折り曲げ線２４あたりで折り曲げることにより達成される。これによりトップパネル１８は接着剤のビーズに接触する。トップパネル１８を接着フラップ１９にそしてそれをバックパネル１２に貼り付けるために圧力をかけてもよい。この部分形成されているが、平らに折り曲げられた状態において、ブランク１０は製造プラントから、平らに折り曲げられたブランク１０を筒状形態に展開して、１つの又は両方の開放端を通じて物品が積み込まれることによってブランクがカートンに変えられるプラントにまで、運び出される。端フラップ３０ａ、３２ａ、３４ａ、３６ａは、折り曲げられて、カートンの右手端を閉じるために、互いに重なる関係になる。応用で、物品は、頂上積み込み又は１つの端部からの端積み込みであり、カートンの右端が最初に閉じられてもよく、カートンは左手端を通じて積み込まれ、そしてその左手端が閉じられる。
【００２９】
本願発明は、かなり拡張された端部フラップ又は接続パネル３４ｂの用意によって、通常のカートンとは異なる。この拡張された端部フラップ３４ｂは、ブランク１０にユニット的に形成され、折り曲げ線４４ｂに沿ってフロントパネル１６にヒンジ的に接続され、左手端を閉じるための最後閉鎖フラップとして使用される。拡張された端フラップ３４ｂはまた第１カートンＣ１（例えば上述されたカートン）を第２カートンＣ２に（例えば本質的にブランク１０と同一の別のブランクから形成されたカートン）固定するための接続フラップとしても作用する。第２の機能を達成するために、拡大された端フラップ３４ｂは接着フラップ３９を備え、それは折り曲げ線４８に沿って拡大された端フラップ３４ｂにヒンジされている。
【００３０】
別のブランク１０から形成される第２カートンＣ２は、第１カートンＣ２に、第１及び第２カートンＣ１、Ｃ２の拡大された端フラップ３４ｂにより取り付けられることができる。固定される２つのカートンＣ１、Ｃ２は落ち着かせられるか、又は並列され、好ましく、これによってカートンＣ１、Ｃ２のパネル１２は、前面接触関係（又はカートンＣ１、Ｃ２は、後後接触関係）にあり、そのようにそれぞれのカートンの端部が並べられる。２つのカートンＣ１、Ｃ２をこのように操作することが、装置をパッケージすることにより自動化されることができ、代わりに手動で達成されることができる。
【００３１】
接着剤がカートンＣ１、Ｃ２のそれぞれの接着フラップ３９につけられ、拡大端フラップ３４ｂがそれぞれの折り曲げ線４４ｂでそれぞれカートンＣ１、Ｃ２に向けて折り曲げられ、それらにより各カートンＣ１、Ｃ２の左手端の閉鎖を完成する。第１カートンＣ１の拡大された端フラップ３４ｂはまた並列された第２カートンＣ２の右手端で重なった関係になり、それによりさらにその第２カートンＣ２の閉じた右手端を固定する。第１カートンＣ１の拡大された端フラップ３４ｂの接着フラップ３９は、折り曲げ線４８について折り曲げられ、そして第２カートンＣ２のフロントパネル１６と平坦な前面接触がなされ、それにより２つのカートンＣ１、Ｃ２が一緒に接続される。同様に、第２カートンの拡大された端部フラップ３４ｂが第２カートンＣ２の左手端を閉じるために折り曲げられて、第１カートンの右手端と重なる関係になる（それによりさらに第１カートンＣ１の閉じた右手端をさらに固定する）。第２カートンＣ２の拡大された端フラップ３４ｂの接着フラップ３９は、第２拡大端フラップ３４ｂを第１カートンＣ１のフロントパネル１６に接着するために、（第１カートンＣ１の接着フラップ３９に対して）上述したのと完全に同じ方法で操作される。得られた二重カートン、まだ単一又はユニットパッケージ５０が図２で図示される。
【００３２】
上述の方法は限定するものではない。構築する他の方法では、拡大された端フラップ３４ｂは直接に（接着剤又は他の機械的固定により）第１のカートンＣ１の別の端フラップ３０ｂ、３２ｂ、３６ｂに取り付けることができ、及び／又は第２のカートンＣ２の端フラップ３０ａ、３２ａ、３４ａ、３６ａに直接的に取り付けることができる。他の取り付け手段は、他の実施形態で展開されることができ、そのようなものとして、接着フラップ３９は任意的である。実際に、想定される実施形態において、拡大された端フラップ３４ｂは直接的に第２カートンに、上述したような接着フラップ３９の存在なしに、接着されることができる。そしてさらに想定される実施形態においては、拡大された端フラップ３４ｂは第２カートンＣ２に機械的ロック機構によりロックされることができる。
【００３３】
一旦２つのカートンＣ１、Ｃ２が結合又は取り付けられると、形成された複合パッケージ５０は頑強な構造であり、同様な全体寸法で同様のキャリパー板紙から形成されるＲＳＣと比較して圧縮抵抗が改善される。加えて、２つのカートンＣ１、Ｃ２から複合パッケージ５０を形成することは、個々のブランク寸法が、１つの単一ブランクから同じ全体寸法を有して（それゆえ複合パッケージ５０と同じ内容量をパッケージする能力で）形成される非複合パッケージに比較して減少されるという点で追加の利点をもたらす。２つのカートンＣ１、Ｃ２は、各カートンは、自己完結しており、且つ、それ自体でしっかりと物品を含む能力を有しているので、損傷を受けないままに止まることを確実にするために他のカートンの特徴に頼ることはないという点で個別的である。各カートンＣ１、Ｃ２は、それ特有のブランク１０の材料から形成される。示されている好ましい実施形態において、各カートンＣ１のためのブランクは単一のブランクであるが、しかしながら他の実施形態では、１より多いブランクを、各カートンを形成するために利用することができる。しかしながら、複合パッケージ５０を形成する各カートンＣ１、Ｃ２は、それ特有のブランクから形成されるのが好ましい。この方法でより小さなブランク１０の材料が、全体の複合パッケージ５０を形成するために必要になる。これらのブランク１０は、寸法の点で著いしパッケージ５０を形成するための単一のブランクと比較してより大きなシートの材料からの切断時に、より効率的に入れ子にされることができる。同じ寸法の板紙の開始シートから切断されることができる、いわゆる３つの「より小さな」ブランク１０と比較して、１つのそのような「大きな」ブランクのみが、板紙の開始シートから形成可能であるとしてよい。そのようなものとして、単位特性を有する複合パッケージ５０を形成するために、カートンユニットＣ１、Ｃ２を一緒に取り付けるための結合手段を備えるより小さなカートンユニットＣ１、Ｃ２を形成するためにより小さなブランク１０を利用することは、単一パッケージユニットを形成することと比較して、より材料的に効率的でありうる。
【００３４】
複合パッケージ５０の内部で直立した構造のカートン壁１２、１２、の存在は、顕著にパッケージ５０の圧縮強度又は耐負荷能力に貢献する。そのようなものとして、複合パッケージを形成するために個々の自己完結したカートンユニットＣ１、Ｃ２の組み合わせは、内部構造壁１２、１２の平面に平行に又は実質的に平行に加えられた負荷に耐える能力の点からより強いパッケージのために提供される。
【００３５】
取り付けられたカートンＣ１、Ｃ２を分離するために、拡大された端フラップ３４ｂは任意的に、分離手段５２を備える。示された実施形態において、分離手段５２は、壊れやすい接続５４ａ、５４ｂのペア及びイニシエータータブ５６を備え、その壊れやすい接続５４ａ、５４ｂは、それらの間に裂け目片５８を規定する。（そこへのアクセスは開口７０により備えられる）イニシエータータブ５６を掴むことにより、使用者は裂け目片５８を下方にひくことができ、そして、壊れやすい接続５４ａ、５４を発展的に壊すことができる。図３及び図４でこれは示されている。分離されたカートンＣ１、Ｃ２は図５で示される。
【００３６】
各カートンＣ１、Ｃ２への個々のアクセスを得るために、各フロント及びトップパネル１６、１８は、穿孔されているか壊れやすい線６０、及び壊れやすい線６０に近接して配置されたイニシエータータブ６２を備える。タブ６２の上側部分に対して押すことにより、使用者は、タブ６２に近い壊れやすい線６０の部分を壊すことができ、そして使用者はフロントパネル１６の部分の端部を掴むことができ、壊れやすい接続６０を発展的に壊すために、それをカートンから引き去ることによりその部分を操作することができる。一旦除去されると、開口「Ｏ」が作られ、それぞれの内部空間へのアクセスがそれにより得られることができる（参照図５）。
【００３７】
カートンへのアクセスを得るための他の手段の多くが、従来技術で知られており、それらの多くはカートン又は本願発明のカートン結合手段を有するパッケージに応用することができる。本実施例で示された分離手段５２及びアクセス手段６０／６２は、そのような分離手段のわずかな例を構成し、そしてそれは本発明の非本質的な特徴である。
【００３８】
図６〜図１０において、概略図が例示的な方法で提供されており、複数のカートンＣ１、Ｃ２、Ｃ３などが拡大端フラップ３４ｂを使用して一緒に落ち着くことができ、単一複合パッケージを形成する。図６は２つの隣接したカートンＣ１、Ｃ２を示す。図７は４つの隣接したカートンＣ１、Ｃ２、Ｃ３、Ｃ４を示す。図８は６つの隣接したカートンＣ１、Ｃ２、Ｃ３、Ｃ４、Ｃ５、Ｃ６を示す。図９は９つの隣接したカートンＣ１、Ｃ２、Ｃ３、Ｃ４、Ｃ５、Ｃ６、Ｃ７、Ｃ８、Ｃ９を示す。図１０は１６の隣接したカートンＣ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４、Ｃ１５、Ｃ１６を示す。
【００３９】
その拡大された端フラップを図２及び図３の隣接カートンＣ２のフロントパネル１６に取り付けるために使用されるものとして示される一つのカートンＣ１の拡大された端フラップ３４ｂの接着フラップ３９は、図６〜図１０の概略図で示される本願の別の例では省略されている。図６〜図１０で示される拡大された端フラップ３４ｂは、その内側面に加えられる及び／又は隣接するカートンの壁に加えられる接着剤を使用して取り付けられてもよい。他の実施形態では、任意選択的な接着フラップ３９が使用される。
【００４０】
図６において、２つのカートンＣ１、Ｃ２のみが一緒に接続され、そのカートンは互いに結合されている。同じカートンブランクが各カートンＣ１、Ｃ２に使用されるので、それらはそれぞれ拡大された端フラップ３４ｂ及びそのようなものを有し、第１カートンＣ１の拡大された端フラップ３４ｂは第２カートンに接合され、第２カートンＣ２の拡大された端フラップ３４ｂは第１カートンに接合される。カートンＣ１及びＣ２を互いに接合するために利用可能な拡大端フラップ３４ｂを使用することにより、接続ループが閉じられる。しかしながら、落ち着いた構成で接続され、結合された２以上のカートンを有する配置のそれぞれにおいて（図７〜図１０）、１つのカートンの拡大されたフラップ３４ｂは、そのカートンを隣接するカートンに接合するために使用されるが、その隣接するカートンは異なる隣接するカートンに結合される。例えば、図７を考慮して欲しい。
【００４１】
図７で図示された本願発明の応用において、４つのカートンの一群は、拡大された端フラップ３４ｂを使用して一緒に接合される。第１カートンＣ１は、その左手端を閉じるためお予備その第１カートンＣ１を近接する第２カートンＣ２に取り付けるためにその拡大された端フラップ３４ｂを使用する。第２カートンＣ２は、その右手複合端（３６ａ／３４ａ／３２ａ／３０ａ）が第１カートンＣ１のバックパネルに当接して配置されており、第２カートンはその拡大された端フラップ３４ｂを、その左手端を閉じるため、及び、その第２カートンＣ２を第３カートンＣ３に取り付けるために使用する。
【００４２】
第３カートンＣ３は第２カートンＣ２と接触して配置されるが、第１カートンＣ１とは接触していない。第３カートンＣ３はその複合右端（３０ａ／３２ａ／３４ａ／３６ａ）が第２カートンＣ２のバックパネル１２に当接して配置される。第３カートンＣ３はその左手端にさらに接近させるため、且つ、その第３カートンＣ３を近接する第４カートンＣ４に取り付けるために、その拡大された端フラップ３４ｂを使用する。
【００４３】
第４カートン４は、その右手端（３６ａ／３４ａ／３２ａ／３０ａ）が第３カートンＣ３のバックパネルに当接するように、且つ、そのバックパネル１２が第１カートンＣ１の右手端（３６ａ／３４ａ／３２ａ／３０ａ）で当接するように、配置されている。第４カートンＣ４のどのパネルも第２カートンＣ２のパネルと面接触する関係にない。第４カートンＣ４はその拡大された端フラップ３４ｂを、その左手端を閉じるため、及び、その第４カートンＣ４を隣接する第１カートンＣ１に取り付けるために使用し、そしてこのように落ち着いた４つのカートン配置を作る。もたらされた構成は、分離手段５２（又は同様に適した分離機構）を使用する２つのカートンの分離に関連して上述したのと同じ又は類似の方法で、個々のカートンＣ１、Ｃ２、Ｃ３、Ｃ４に分離可能である。
【００４４】
複合４カートンパッケージを形成するための代替的な非図示の構成において、第１及び第２カートンは後ろ−後ろであり、第３及び第４カートンは後ろ−後ろであり、第２カートンの左手複合端は、第３カートンの右手複合端に当接し、そして第１カートンの右手端は第４カートンの左手端に当接する。この配置において、端部と後ろが同じ幅で存在する必要はない。しかしながらこの構成において、第２及び第４カートンの拡大された端フラップ３４ｂは折り曲げられ、角配置で接着される。この角配置において第２カートンの拡大された端フラップ３４ｂは、フロントパネル１６と第３カートンの左手端を重ね、そして第４カートンの拡大された端フラップ３４ｂは、フロントパネル１６と第１カートンの左手端を重ねる。
【００４５】
もしカートンが、図７〜図１０で図示される方法で配置されたなら、それぞれのカートンの複合端壁はフロントパネルと等しい幅であることが好ましい。これは必ずしも必要というわけではないが、配置のコアに無駄な空間が存在していないという場合のとき、落ち着いたカートンは最も効率的にパッケージされている。追加の利点として、もたされる複数カートン配置は、拡大された端フラップから完全に形成された外側壁を有することができ、それは、均一かつ美観的に心地よい外に面する表面及び拡大された端フラップ３４ｂ上に印刷されたブランド及びグラフィック媒体のための広告板をすぐに提供できる。
【００４６】
図８において、どのように同じ機構がループされた連続体で接続されている６つのカートンのグループをリンクするために使用されているかを示し、第１カートンＣ１の拡大された端フラップ３４ｂがそのカートンを第２カートンＣ２に取り付け、第２カートンＣ２の拡大された端フラップ３４ｂがそのカートンを第３カートンＣ３に取り付け、そして第６カートンＣ６が、その拡大された端フラップ３４ｂを、その第６カートンを第１カートンに取り付けるために使用するまで続く。
【００４７】
同様の機構が、９つの接続されたカートンＣ１、Ｃ２、Ｃ３、Ｃ４、Ｃ５、Ｃ６、Ｃ７、Ｃ８及びＣ９のために使用され、それらの９つの接続されたカートンは、図９で図示されているように３ｘ３カートン配置を作るために、一緒に渦巻き状にされている。最も中心にあるカートン、Ｃ９は１つの外側カートン、この場合Ｃ８に拡大された端フラップ３４ｂにより、取り付けられている。カートンＣ８、Ｃ１、Ｃ２、Ｃ３、Ｃ４、Ｃ５、Ｃ６、Ｃ７は、一緒に接続され、そして最も中心のカートンＣ９の周りに配置されている。外側ループのカートン、（カートンＣ８〜Ｃ１）は、その拡大された端フラップ３４ｂを使用してカートン８に接続するために下左手角の配置されているカートンＣ７により完全に一緒に接続されている。
【００４８】
多くの、そして様々な複数カートン配置が可能である。図示された例は、本願発明により教示される機構を実施することができる方法のサンプルを表わしている。１つのさらなる例が図１０で示されている。この最終図示配置は、カートンが接続される最終方法及び／又は配置を示しているのでは全くない。図１０において、１６のカートンは共にループされている。４つの最も内側のカートン（Ｃ１３、Ｃ１４、Ｃ１５及びＣ１６）は、１２の最も外側のカートンＣ１〜Ｃ１２により取り囲まれている。配置は、内側及び外側カートンのペアーを集めて、接続することにより作ることができる。そのようなものとして最も内側のカートンＣ１３は、その拡大された端フラップ３４ｂによりカートンＣ１２に接続される（カートンＣ１２は外側ループの一部を形成するために続く）。同様な方法でカートンＣ１４は、その拡大された端フラップ３４ｂによりカートンＣ３に接続される（カートンＣ３は外側ループの一部を形成するために続く）。カートンＣ１５にＣ６及びカートンＣ１６にＣ９の２つのさらなるペアは、また、４つの最も内側のカートン（Ｃ１３、Ｃ１４、Ｃ１５及びＣ１６）のそれぞれが、最も外側のカートン（Ｃ１２、Ｃ３、Ｃ６及びＣ９）に接続されるように形成される。これらの最も外側のカートン（Ｃ１２、Ｃ３、Ｃ６及びＣ９）のそれぞれは、自由な接続されていない拡大された端フラップ３４ｂを有している。次にそれぞれのペア（Ｃ１３／Ｃ１２、Ｃ１４／Ｃ３、Ｃ１５／Ｃ６及びＣ１６／Ｃ９）の４つの最も内側のカートン（Ｃ１３、Ｃ１４、Ｃ１５及びＣ１６）は、２ｘ２配置（図示されていない）で、それらの接続された最も外側のカートン（Ｃ３、Ｃ６、Ｃ９及びＣ１２）を備えて組み立てられ、最も外側のループを形成することを開始する。最も外側のループは、残りのカートン（Ｃ１、Ｃ２、Ｃ４、Ｃ５、Ｃ７、Ｃ８、Ｃ１０、Ｃ１１）で追加することにより完成される。その残りのカートンは、自由な拡大端フラップ３４ｂを有する接続されたペア（Ｃ１、Ｃ２；Ｃ４、Ｃ５；Ｃ７、Ｃ８；及びＣ１０、Ｃ１１）で組み立てられている。他の組立方法も可能でありうる。もたらされる構造は、図１０で示されるように１６の接続されたカートンを備える。
【００４９】
本願発明の範囲内で様々な変更をすることができ、例えば、パネルの寸法及び形状は、異なっている寸法又は形状の物品を収容するために調節されることができることが、認識されることができる。カートンは６以上の面を備えてもよく、そのカートンを他の近接したカートンに接続するのに使用される１つのカートンの拡大された端フラップ３４ｂに適する様々なネスト配置で、一緒にネストされてもよい。本発明の他の実施形態において、各カートンは１よりも多い拡大された端フラップ３４ｂを備えるか、又は、２つの拡大された端フラップ３４ｂを備える第１部ランクから形成されるカートンは、拡大された端フラップを全く備えていない第２ブランクから形成されるカートンと結合されても良いことが想定されている。図示された例において拡大された端フラップ３４ｂは矩形であり、２つの端壁の寸法に合致する寸法であるが、他の実施形態においては、拡大された端フラップ３４ｂは、端壁の全寸法でなくても良く、そして販売促進がなされるように、及び／又は美的特徴が作られるようにグラフィックを印刷してもよい。
【００５０】
カートンの単純なラインは、拡大された端フラップを使用することにより一緒に接続されることができ、そして３つ以上のカートンは、直線の方法で接続されることができることが理解されうる。そのような配置において拡大された端フラップ３４ｂを有さないカートンは、直線連続で最終カートンを形成しても良く、又は代わりに、２つのカートンの拡大された端フラップが重ねあわされてもよい。
【００５１】
ここで使用されている、方向を示す、例えば「頂上（トップ）」、「底（ボトム）」、「前（フロント）」、「後（バック）」、「端」、「横（側）」、「内側」、「外側」、「上部」及び「下部」はそれぞれのパネルをそのような方向に限定するものではなく、単にこれらのパネルを互いから区別するのに役立つのみであることが認識されるであろう。ヒンジされた接続へのどの参照も、単一の折り曲げ線のみを必要的に指すものと解釈すべきではなく、実際には、本発明の範囲から離れることなく、ヒンジされた接続は次の１以上のもの、短いスリット、壊れやすいライン又は折り曲げ線、から形成されることができることが想定されている。
【符号の説明】
【００５２】
１０  ブランク
１２  バックパネル
１４  ボトムパネル
１６  フロントパネル
１８  トップパネル
１９  接着パネル
２０  折り曲げ線
２２  折り曲げ線
２４  折り曲げ線
２６  折り曲げ線
３０ａ  端フラップ
３０ｂ  端フラップ
３２ａ  端フラップ
３２ｂ  端フラップ
３４ａ  端フラップ
３４ｂ  端フラップ
３６ａ  端フラップ
３６ｂ  端フラップ
３９  接着フラップ
４０ａ  折り曲げ線
４０ｂ  折り曲げ線
４２ａ  折り曲げ線
４２ｂ  折り曲げ線
４４ａ  折り曲げ線
４４ｂ  折り曲げ線
４６ａ  折り曲げ線
４６ｂ  折り曲げ線
５０  複合パッケージ
５２  分離手段
５４ａ  壊れやすい接続
５４ｂ  壊れやすい接続
５６  イニシエータータブ
５８  裂け目片
７０  開口
６０  壊れやすい線
６２  タブ
【図１】
2010195489.tif 000003
【図２】
2010195489.tif 000004
【図３】
2010195489.tif 000005
【図４】
2010195489.tif 000006
【図５】
2010195489.tif 000007
【図６】
2010195489.tif 000008
【図７】
2010195489.tif 000009
【図８】
2010195489.tif 000010
【図９】
2010195489.tif 000011
【図１０】
2010195489.tif 000012
【外国語明細書】
2010195489.tif 000013
2010195489.tif 000014
2010195489.tif 000015
2010195489.tif 000016
2010195489.tif 000017
2010195489.tif 000018
2010195489.tif 000019
2010195489.tif 000020
2010195489.tif 000021
2010195489.tif 000022
2010195489.tif 000023
2010195489.tif 000024
2010195489.tif 000025
2010195489.tif 000026
2010195489.tif 000027
2010195489.tif 000028
2010195489.tif 000029
2010195489.tif 000030
2010195489.tif 000031
2010195489.tif 000032
2010195489.tif 000033
2010195489.tif 000034
2010195489.tif 000035
2010195489.tif 000036
2010195489.tif 000037